(57)【要約】 【課題】  窓枠の外枠部の下枠材が撓んで建て付けが狂うのを防止する。【解決手段】  矩形状に枠組みされた窓枠１を屋内側の内枠部１ａと屋外側の外枠部１ｂとで構成する。建物の外壁２に設けた開口部３に窓枠１の内枠部１ａを嵌めて取り付けると共に窓枠１の外枠部１ｂを外壁２より屋外側に突出させる。窓枠１の外枠部１ｂの左右方向の端部を開口部３の左右方向の端部より左右方向の側方に突出させて外枠部１ｂの左右の外壁２の外面と重複する部分を障子収納部４とする。窓枠１の外枠部１ｂの上下に外枠部１ｂの左右方向に亙ってレール部５を設けると共にレール部５に沿って走行自在になるように外枠部１ｂ内に障子６を嵌め込んで障子６を開閉自在にする。窓枠１の外枠部１ｂの下枠材７の下方の設置面８に支柱９を立設して支柱９の上端で外枠部１ｂの下枠材７を支持する。  【選択図】        図１
2005042436.tif 000002
【特許請求の範囲】
【請求項１】
矩形状に枠組みされた窓枠を屋内側の内枠部と屋外側の外枠部とで構成し、建物の外壁に設けた開口部に窓枠の内枠部を嵌めて取り付けると共に窓枠の外枠部を外壁より屋外側に突出させ、窓枠の外枠部の左右方向の端部を開口部の左右方向の端部より左右方向の側方に突出させて外枠部の左右の外壁の外面と重複する部分を障子収納部とし、窓枠の外枠部の上下に外枠部の左右方向に亙ってレール部を設けると共にレール部に沿って走行自在になるように外枠部内に障子を嵌め込んで障子を開閉自在にし、窓枠の外枠部の下枠材の下方の設置面に支柱を立設して支柱の上端で外枠部の下枠材を支持したことを特徴とする窓装置。
【請求項２】
支柱が上下に伸縮して高さ調整し得るようにしたことを特徴とする請求項１記載の窓装置。
【請求項３】
支柱より屋外側で外枠部の下枠材と設置面との間に化粧カバー材を装着して支柱を隠して成ることを特徴とする請求項１または請求項２記載の窓装置。
【発明の詳細な説明】
【技術分野】
【０００１】
本発明は、掃き出し窓と称されるような床面まで開口した開口面積の大きい窓装置の構造に関するものである。
【背景技術】
【０００２】
一般にこの種の窓装置は、建物の外壁の開口部に開口部と同じ大きさの窓枠を取り付け、窓枠の上下の枠材に左右方向に亙って複数のレール部を設け、戸枠にガラス板を取り付けた障子を各レール部に対して走行自在になるように嵌め込んで装着してあり、障子を移動させることで開口部を開閉できるようになっている。この障子を開放したときは障子同士を屋内外方向に重ね合わせることで開口部の一部を開とするようになっている。
【０００３】
ところが、上記のような窓装置では、障子を開いた状態でも開口部の一部に複数の障子が屋内外方向に重なった状態で残り、開口部の開口量が少なくて障子を開いて開口部を開とした状態での屋内における開放感に乏しく、更に通気量も少なく、また屋内から屋外を見た場合の視野も開口部に位置する障子が邪魔になって狭くなり、更に、開口部の開口量が少ないので大きな荷物の出し入れに当たっても、障子が邪魔になるという問題がある。
【０００４】
この問題を解決するものとして本特許出願人は先に図６に示すようなものを出願した（例えば、特許文献１参照）。これは矩形状に枠組みされた窓枠１を屋内側の内枠部１ａと屋外側の外枠部１ｂとで構成し、建物の外壁に設けた開口部３に窓枠１の内枠部１ａを嵌めて取り付けると共に窓枠１の外枠部１ｂを外壁より屋外側に突出させ、窓枠１の外枠部１ｂの左右方向の端部を開口部３の左右方向の端部より左右方向の側方に突出させて外枠部１ｂの左右の外壁２の外面と重複する部分を障子収納部とし、窓枠１の外枠部１ｂの上下に外枠部１ｂの左右方向に亙ってレール部５を設けると共にレール部５に沿って走行自在になるように外枠部１ｂ内に障子６を嵌め込んで障子６を開閉自在にしてある。
【特許文献１】特開２００２−９７８４９号公報
【発明の開示】
【発明が解決しようとする課題】
【０００５】
上記図６に示す従来例のものでは外枠部１ｂを外壁の屋外側に突出させ、外枠部１ｂの左右方向の端部を開口部３の左右方向の端部より左右方向の側方に突出させて外枠部１ｂの左右の外壁２の外面と重複する部分を障子収納部としてあるため、障子６を開くように移動させたとき、障子６が障子収納部に収納されて開口部３を全開でき、屋内の開放感、通気量、視野を高めると共に大きな荷物を出し入れするにあたっても障子に邪魔されることなく出し入れできる。しかしながら上記従来例では、窓枠１の外枠部１ｂが屋外側に片持ち状に突出していると共に外枠部１ｂの下枠材７に重い障子６の荷重がかかっているため、下枠材７が撓み変形し、建て付けが狂って気密性が保たれなくなったり、障子の開閉操作がスムーズにできないという問題がある。
【０００６】
本発明は上記の点に鑑みてなされたものであり、窓枠の外枠部の下枠材が撓んで建て付けが狂うのを防止でき、閉じたときに気密性を保つことができると共に障子の開閉操作がスムーズにできる窓装置を提供することを課題とするものである。
【課題を解決するための手段】
【０００７】
上記課題を解決するための本発明の窓装置は、矩形状に枠組みされた窓枠１を屋内側の内枠部１ａと屋外側の外枠部１ｂとで構成し、建物の外壁２に設けた開口部３に窓枠１の内枠部１ａを嵌めて取り付けると共に窓枠１の外枠部１ｂを外壁２より屋外側に突出させ、窓枠１の外枠部１ｂの左右方向の端部を開口部３の左右方向の端部より左右方向の側方に突出させて外枠部１ｂの左右の外壁２の外面と重複する部分を障子収納部４とし、窓枠１の外枠部１ｂの上下に外枠部１ｂの左右方向に亙ってレール部５を設けると共にレール部５に沿って走行自在になるように外枠部１ｂ内に障子６を嵌め込んで障子６を開閉自在にし、窓枠１の外枠部１ｂの下枠材７の下方の設置面８に支柱９を立設して支柱９の上端で外枠部１ｂの下枠材７を支持したことを特徴とする。
【０００８】
上記のように構成したことにより、障子６を開いたとき、窓枠１の外枠部１ｂの障子収納部４に障子６を収納することにより開口部３を全開でき、屋内の開放感、通気量、視野を高めると共に大きな荷物を出し入れするにあたっても障子６に邪魔されることなく出し入れできる。しかも外壁２から片持ち状に突出する窓枠１の外枠部１ｂの下枠材７が支柱９にて支持されることにより、下枠材７が下方に撓まないように支持され、建て付けが狂うのを防止できて閉じたときの気密性を保つことができると共に障子６の開閉操作がスムーズにできる。
【０００９】
また支柱９が上下に伸縮して高さ調整し得るようにしたことを特徴とすることも好ましい。この場合、支柱９を上下に伸縮させて高さ調整することにより下枠材７を支持する高さを変えて建て付けを調整でき、特に障子６とレール部５との嵌り合いを調整できて障子６の開閉操作がスムーズにできる。
【００１０】
また支柱９より屋外側で外枠部１ｂの下枠材７と設置面８との間に化粧カバー材１０を装着して支柱９を隠して成ることを特徴とすることも好ましい。外枠部１ｂの下枠材７を支柱９にて支持しても支柱９が外観上見えないように化粧カバー材１０にて覆うことができ、外観よく施工できる。
【発明の効果】
【００１１】
本発明の請求項１の発明は、矩形状に枠組みされた窓枠を屋内側の内枠部と屋外側の外枠部とで構成し、建物の外壁に設けた開口部に窓枠の内枠部を嵌めて取り付けると共に窓枠の外枠部を外壁より屋外側に突出させ、窓枠の外枠部の左右方向の端部を開口部の左右方向の端部より左右方向の側方に突出させて外枠部の左右の外壁の外面と重複する部分を障子収納部とし、窓枠の外枠部の上下に外枠部の左右方向に亙ってレール部を設けると共にレール部に沿って走行自在になるように外枠部内に障子を嵌め込んで障子を開閉自在にしたので、障子を開いたとき、窓枠の外枠部の障子収納部に収納することにより開口部を全開でき、屋内の開放感、通気量、視野を高めると共に大きな荷物を出し入れするにあたっても障子に邪魔されることなく出し入れできるものであり、しかも窓枠の外枠部の下枠材の下方の設置面に支柱を立設して支柱の上端で外枠部の下枠材を支持したので、下枠材が下方に撓まないように支持され、建て付けが狂うのを防止できて閉じたときの気密性を保つことができると共に障子の開閉操作がスムーズにできるものである。
【００１２】
また本発明の請求項２の発明は、請求項１において、支柱が上下に伸縮して高さ調整し得るようにしたので、支柱を上下に伸縮させて高さ調整することにより下枠材を支持する高さを変えて建て付けを調整でき、特に障子とレール部との嵌り合いを調整できて障子の開閉操作がスムーズにできるものである。
【００１３】
また本発明の請求項３の発明は、請求項１または請求項２において、支柱より屋外側で外枠部の下枠材と設置面との間に化粧カバー材を装着して支柱を隠しているので、外枠部の下枠材を支柱にて支持しても支柱が外観上見えないように化粧カバー材にて覆うことができ、外観よく施工できるものである。
【発明を実施するための最良の形態】
【００１４】
図１に示すように鉄筋コンクリートの布基礎のような建物基礎１１の上端には土台金具１２を載設してあり、土台金具１２上に壁パネル１３を立設して外壁２が形成されている。掃き出し窓のような窓を設ける部分では開口部３が設けられるために壁パネル１３が立設されていない。開口部３を設ける部分では床パネル１４が土台金具１２を覆う位置まで敷設されている。アルミサッシからなる矩形枠状の窓枠１は屋内側の内枠部１ａと屋外側の外枠部１ｂとを一体に設けて形成されている。内枠部１ａは開口部３の内周に沿う矩形状に形成されており、内枠部１ａを開口部３に嵌め込んで内枠部１ａを壁パネル１３や床パネル１４にビス等の固着具にて固着してある。内枠部１ａを開口部３に嵌め込んで取り付けた状態で外枠部１ｂが外壁２の外面より屋外側に突出するように片持ち状に取り付けられる。内枠部１ａを取り付け後、内枠部１ａの内周は額縁材や床仕上げ材の端部にて仕舞われる。
【００１５】
外枠部１ｂは矩形枠状であるが、内枠部１ａより左右方向の寸法が長い矩形枠状に形成してあり、外枠部１ｂの左右方向の端部は内枠部１ａの左右方向の端部より側方に長く突出しており、この外枠部１ｂの側方に突出して外壁２の外面に重なる部分を障子収納部４としてある。本例の場合、外枠部１ｂの左右方向の両端部に障子収納部４を設けてある。外枠部１ｂの上枠材（図示せず）と下枠材７には外枠部１ｂの左右方向の全長に亙るようにレール部５を複数設けてある。本例の場合、レール部５として障子用レール部５ａと網戸用レール部５ｂがあり、外枠部１ｂの屋内側には３本の障子用レール部５ａを平行に設けてあり、外枠部１ｂの屋外側には３本の網戸用レール部５ｂを平行に設けてある。
【００１６】
障子６は戸枠にガラスを嵌め込んで形成されており、図２、図３に示すようにこの障子６を外枠部１ｂの障子用レール部５ａに走行自在に嵌め込んで装着してある。この障子６には本例の場合、一対の外障子６ａと、一対の中障子６ｂと、一対の内障子６ｃとがあり、最も屋外側に位置する障子用レール部５ａに一対の外障子６ａを嵌めて走行自在に装着してあり、次に屋内側に位置する障子用レール部５ａに一対の中障子６ｂを嵌めて走行自在に装着してあり、最も屋内側に位置する障子用レール部５ａに一対の内障子６ｃを嵌めて走行自在に装着してある。
【００１７】
網戸１５も外枠部１ｂの網戸用レール部５ｂに走行自在に嵌め込んで装着してある。この網戸１５にも、本例の場合、一対の外網戸１５ａと、一対の中網戸１５ｂと、一対の内網戸１５ｃとがあり、最も屋外側に位置する網戸用レール部５ｂに一対の外網戸１５ａを嵌めて走行自在に装着してあり、次に屋内側に位置する網戸用レール部５ｂに中網戸１５ｂを嵌めて走行自在に装着してあり、最も屋内側に位置する網戸用レール部５ｂに内網戸１５ｃを嵌めて走行自在に装着してある。外枠部１ｂの下枠材７の屋外側の端部には屋外側に突出するように水切り板１６を装着してある。
【００１８】
建物基礎１１の屋外には砕石層１８を介してコンクリートの台盤部１９を設けてあり、この台盤部１９の上面を設置面８として外枠部１ｂの下枠材７を支持する支柱９を立設してある。この支柱９の下端には設置板２０を設けてあり、設置板２０を設置面８に設置した状態で設置板２０から固着具２１を台盤部１９に打入して固定してある。設置板２０から上方に向けて円筒状の軸部２２を上方に突設してあり、この軸部２２の上端には内周に雌ねじ孔を設けた回転操作具２３を回転自在に装着してある。この軸部２２の上方には雄ねじ棒２４を配置してあり、雄ねじ棒２４を回転操作具２３の内周に螺合して挿通してあり、雄ねじ棒２４の下部を軸部２２内に挿通してあり、回転操作具２３の上で雄ねじ棒２４にロックナット２５を螺合してある。雄ねじ棒２４の上端上には図４に示すようにチャンネル材からなる上部プレート２６を水平に配置してあり、雄ねじ棒２４の上端を上部プレート２６の長手方向の中央に連結してある。上部プレート２６の上面上にはゴムシートのような気密性を図るための気密用シート２７を装着してあり、この気密シート２７を介して上部プレート２６を外枠部１ｂの下枠材７の下面に当接してあり、上部プレート２６の下方から挿通孔２８を介して下枠材７に固着具２９を打入して上部プレート２６を下枠材７に連結してある。上記支柱９は下枠材７の長手方向に所定の間隔を隔てて立設され、下枠材７の長手方向に間隔を隔てて立設した支柱９にて下枠材７が撓まないように支持されている。
【００１９】
上記のように窓装置が構成され、障子６や網戸１５を左右に走行させて障子６や網戸１５の開閉操作ができる。図２は網戸１５を全開して障子６を全閉した状態であり、障子収納部４に全部の網戸１５が収納されている。図３は適宜の障子６を開放すると共に障子６を開放した部分を網戸１５で閉じた状態を示し、開放した障子６及び網戸１５が障子収納部４に収納されている。また障子６及び網戸１５を開放して各障子６及び網戸１５を障子収納部４に収納すると開口部３を全開できる。このように開口部３を全開できると、屋内の開放感、通気量、視野を高めると共に大きな荷物を出し入れするにあたっても障子６や網戸１５に邪魔されることなく出し入れできる。
【００２０】
また外枠部１ｂの下枠材７が上記のように支柱９にて支持されているので、下枠材７が下方に撓まないように支持され、建て付けが狂うのを防止できて閉じたときの気密性を保つことができると共に障子６や網戸１５の開閉操作がスムーズにできる。またロックナット２５を緩めた状態で回転操作具２３を回転操作することで雄ねじ棒２４を上下させ、支柱９を上下に伸縮させて高さ調整することができる。このように支柱９を上下に伸縮させて高さ調整することにより下枠材７を支持する高さを変えて建て付けを調整でき、特に障子６とレール部５との嵌り合いを調整できて障子６の開閉操作がスムーズにできる。
【００２１】
また図５は他の例を示すものである。本例も上記例と基本的に同じであり、異なる点だけを述べる。窓枠１の外枠部１ｂにレール部５として２条の障子用レール部５ａと２条の網戸用レール部５ｂとを設けてある。障子６には本例の場合、一対の外障子６ａと、一対の内障子６ｃとがあり、屋外側に位置する障子用レール部５ａに一対の外障子６ａを嵌めて走行自在に装着してあり、屋内側に位置する障子用レール部５ａに一対の内障子６ｃを嵌めて走行自在に装着してある。網戸１５にも、本例の場合、一対の外網戸１５ａと、一対の内網戸１５ｃとがあり、屋外側に位置する網戸用レール部５ｂに一対の外網戸１５ａを嵌めて走行自在に装着してあり、屋内側に位置する網戸用レール部５ｂに内網戸１５ｃを嵌めて走行自在に装着してある。
【００２２】
窓枠１の外枠部１ｂの下枠材７は上記例と同様に支柱９にて支持されているが、本例の場合、支柱９より屋外側の位置で下枠材７と設置面８との間に下枠材７の全長に亙るように化粧カバー材１０を配置してあり、上部プレート２６に化粧カバー材１０の上端を固着具３０にて固定してある。このようにすると、外枠部１ｂの下枠材７を支柱９にて支持しても支柱９が外観上見えないように化粧カバー材１０にて覆うことができ、外観よく施工できる。
【図面の簡単な説明】
【００２３】
【図１】本発明の実施の形態の一例の要部の縦断面図である。
【図２】同上の障子を全閉した状態の横断面図である。
【図３】同上の障子を開いた状態の横断面図である。
【図４】同上の上部プレートを示し、（ａ）は平面図、（ｂ）は正面から見た断面図、（ｃ）は側面から見た断面図である。
【図５】同上の他の例の縦断面図である。
【図６】従来例の断面図である。
【符号の説明】
【００２４】
１  窓枠
１ａ  内枠部
１ｂ  外枠部
２  外壁
３  開口部
４  障子収納部
５  レール部
６  障子
７  下枠材
８  設置面
９  支柱
１０  化粧カバー材
【図１】
2005042436.tif 000003
【図２】
2005042436.tif 000004
【図３】
2005042436.tif 000005
【図４】
2005042436.tif 000006
【図５】
2005042436.tif 000007
【図６】
2005042436.tif 000008